【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
装置であって、
前記装置の外部エリアの湿度レベルより高い湿度レベルを有している内部湿潤場所と、
前記装置の前記内部湿潤場所内の電流源であって、前記湿度レベルが上昇するにつれて高くなるリーク電流を受流する電流源と、
前記装置の前記内部湿潤場所内に設けられた湿度センサであって、前記湿度レベルが上昇するにつれて高くなる信号を生成する湿度センサと、
前記電流源と前記湿度センサに連結された増幅器と、
前記電流源と前記増幅器に連結された電気負荷素子と、
を含み、
前記電流源が前記電気負荷素子へ一次出力電流を送出し、
前記一次出力電流の低下に対応して前記リーク電流を増加させ、
前記増幅器が、補償出力電流を生成するために前記湿度センサによって生成された前記信号を増幅させ、
前記増幅器が、前記補償出力電流を前記リーク電流に等しくさせるレベルにおいて前記湿度センサによって生成された前記信号を増幅させ、
前記増幅器が、前記一次出力電流を有する前記電気負荷素子へ前記補償出力電流を送出する、
装置。
【請求項２】
前記内部湿潤場所内にプリント回路基板を更に含み、前記電流源と前記湿度センサが前記プリント回路基板上に配置されている請求項１に記載の装置。
【請求項３】
前記補償出力電流が前記一次出力電流を設けることによって前記電気負荷素子をして前記リーク電流によって影響されない電源電流として前記補償出力電流に組み合わされた前記一次出力電流を受流させる請求項１に記載の装置。
【請求項４】
前記湿度センサが、
対向端子と、
前記対向端子に接続されたインターリーブ導体と、
前記インターリーブ導体間に設けられた電気絶縁体と、
を含む請求項１に記載の装置。
【請求項５】
前記電流源と前記湿度センサが被湿潤度および湿度に対してほぼ同様に反応するほぼ同じ大きさを有し互いに間隔をとって配設された素子を有している請求項１に記載の装置。
【請求項６】
前記電流源と前記湿度センサが被湿潤度および湿度に対してほぼ同様に反応するほぼ同じ大きさを有し互いに間隔をとって配設された導体および絶縁体を有している請求項１に記載の装置。
【請求項７】
前記電流源は、
前記一次出力電流が増加するにつれて増加するリーク電流を受流する請求項１に記載の装置。
【請求項８】
装置であって、
プリントエンジンと、
前記プリントエンジン内に設けられ、前記プリントエンジンの外部エリアの湿度レベルより高い湿度レベルを有している内部湿潤場所と、
前記装置の前記内部湿潤場所内の電流源であって、前記湿度レベルが上昇するにつれて高くなるリーク電流を受流する電流源と、
前記電流源に連結された分圧器と、
前記装置の前記内部湿潤場所内に設けられた湿度センサであって、前記湿度レベルが上昇するにつれて高くなる信号を生成する湿度センサと、
前記分圧器と前記湿度センサに連結された増幅器と、
前記電流源と前記増幅器に連結された電気負荷素子と、
を含み、
前記電流源が前記電気負荷素子へ一次出力電流を送出し、
前記一次出力電流の低下に対応して前記リーク電流を増加させ、
前記増幅器が、補償出力電流を生成するために前記湿度センサによって生成された前記信号を増幅させ、
前記増幅器が、前記分圧器によって前記増幅器に提供された前記一次出力電流が上昇するにつれて高くなるレベルで前記湿度センサによって生成された前記信号を増幅させ、
前記増幅器が、前記補償出力電流を前記リーク電流に等しくさせる前記レベルにおいて前記湿度センサによって生成された前記信号を増幅させ、
前記増幅器が、前記一次出力電流を有する前記電気負荷素子へ前記補償出力電流を送出する、
装置。
【請求項９】
前記内部湿潤場所内にプリント回路基板を更に含み、前記電流源と前記湿度センサが前記プリント回路基板上に配置されている請求項８に記載の装置。
【請求項１０】
前記補償出力電流が前記一次出力電流を設けることによって前記電気負荷素子をして前記リーク電流によって影響されない電源電流として前記補償出力電流に組み合わされた前記一次出力電流を受流させる請求項８に記載の装置。
【請求項１１】
前記湿度センサが、
対向端子と、
前記対向端子に接続されたインターリーブ導体と、
前記インターリーブ導体間に設けられた電気絶縁体と、
を含む請求項８に記載の装置。
【請求項１２】
前記電流源と前記湿度センサが被湿潤度および湿度に対してほぼ同様に反応するほぼ同じ大きさを有し互いに間隔をとって配設された素子を有している請求項８に記載の装置。
【請求項１３】
前記電流源と前記湿度センサが被湿潤度および湿度に対してほぼ同様に反応するほぼ同じ大きさを有し互いに間隔をとって配設された導体および絶縁体を有している請求項８に記載の装置。
【請求項１４】
前記電流源は、
前記一次出力電流が増加するにつれて増加するリーク電流を受流する請求項８に記載の装置。
【請求項１５】
装置であって、
プリントエンジンと、
前記プリントエンジン内に設けられ、前記プリントエンジンの外部エリアの湿度レベルより高い湿度レベルを有している内部湿潤場所と、
前記装置の前記内部湿潤場所内の電流源であって、前記湿度レベルが上昇するにつれて高くなるリーク電流を受流する電流源と、
前記電流源に連結された分圧器と、
前記装置の前記内部湿潤場所内に設けられた湿度センサであって、前記湿度レベルが上昇するにつれて高くなる信号を生成する湿度センサと、
前記分圧器と前記湿度センサに連結された増幅器と、
前記電流源と前記増幅器に連結された電気負荷素子と、
を含み、
前記電流源が前記電気負荷素子へ一次出力電流を送出し、
前記リーク電流の増加分だけ前記一次出力電流を低下させ、
前記増幅器が、補償出力電流を生成するために前記湿度センサによって生成された前記信号を増幅させ、
前記増幅器が、前記分圧器によって前記増幅器に提供された前記一次出力電流が上昇するにつれて高くなるレベルで前記湿度センサによって生成された前記信号を増幅させ、
前記増幅器が、前記補償出力電流を前記リーク電流に等しくさせる前記レベルにおいて前記湿度センサによって生成された前記信号を増幅させ、
前記増幅器が、前記一次出力電流を有する前記電気負荷素子へ前記補償出力電流を送出する、
装置。
【請求項１６】
前記内部湿潤場所内にプリント回路基板を更に含み、前記電流源と前記湿度センサが前記プリント回路基板上に配置されている請求項１５に記載の装置。
【請求項１７】
前記補償出力電流が前記一次出力電流を設けることによって前記電気負荷素子をして前記リーク電流によって影響されない電源電流として前記補償出力電流に組み合わされた前記一次出力電流を受流させる請求項１５に記載の装置。
【請求項１８】
前記湿度センサが、
対向端子と、
前記対向端子に接続されたインターリーブ導体と、
前記インターリーブ導体間に設けられた電気絶縁体と、
を含む請求項１５に記載の装置。
【請求項１９】
前記電流源と前記湿度センサが被湿潤度および湿度に対してほぼ同様に反応するほぼ同じ大きさを有し互いに間隔をとって配設された素子を有している請求項１５に記載の装置。
【請求項２０】
前記電流源と前記湿度センサが被湿潤度および湿度に対してほぼ同様に反応するほぼ同じ大きさを有し互いに間隔をとって配設された導体および絶縁体を有している請求項１５に記載の装置。